(57)【要約】  ゴルフボールコア、１つまたは複数の中間層、およびカバー層を有するゴルフボールが開示される。ゴルフボールコアは、半径方向に延在する突起を有する内側コアを含み得る。半径方向に延在する突起は、内側コアから球体的に点対称に突出し得る。半径方向に延在する突起は、内側コアと同じ材料から形成され得る。１つまたは複数の中間層が内側コアを取り囲み、半径方向に延在する突起間の空間を埋めている場合がある。
2015517851.tif 000002
【特許請求の範囲】
【請求項１】
内側コア、および上記内側コアから球体的に点対称に少なくとも６個の半径方向に延在する突起を有するゴルフボールコアと、
１つまたは複数の中間層と、
カバー層と、
を備えるゴルフボール。
【請求項２】
上記内側コアと、半径方向に延在する突起とが同じ材料から形成されていることを特徴とする請求項１に記載のゴルフボール。
【請求項３】
上記内側コアは、１４個の半径方向に延在する突起を備えることを特徴とする請求項１に記載のゴルフボール。
【請求項４】
上記半径方向に延在する突起は、上記内側コアから延びているコラムの形状に形成されていることを特徴とする請求項１に記載のゴルフボール。
【請求項５】
上記内側コアから延在するコラムの基部が上記カバー層に当接するコラムの頂部よりも幅広であるように、上記半径方向に延在する突起は、テーパが付されたコラムの形状に形成されていることを特徴とする請求項４に記載のゴルフボール。
【請求項６】
上記半径方向に延在するコラムの頂部が平坦であることを特徴とする請求項５に記載のゴルフボール。
【請求項７】
上記半径方向に延在する突起の頂部が凸状の形状であることを特徴とする請求項５に記載のゴルフボール。
【請求項８】
上記半径方向に延在する突起の頂部の曲率が上記カバー層の曲率と同じであることを特徴とする請求項７に記載のゴルフボール。
【請求項９】
上記１つまたは複数の中間層は、上記内側コアを取り囲み、上記半径方向に延在する突起間の空間を埋めていることを特徴とする請求項１に記載のゴルフボール。
【請求項１０】
上記１つまたは複数の中間層は、半径方向に延在する突起の各々を完全には包囲していないことを特徴とする請求項９に記載のゴルフボール。
【請求項１１】
上記１つまたは複数の中間層は、上記ゴルフボールコアの硬さとは異なる硬さを有することを特徴とする請求項１に記載のゴルフボール。  
【請求項１２】
上記１つまたは複数の中間層の硬さは、上記ゴルフボールコアの硬さよりも小さいことを特徴とする請求項１１に記載のゴルフボール。
【請求項１３】
内側コア、および上記内側コアから球体的に点対称に少なくとも６個の半径方向に延在する弾性部材を有するゴルフボールコアと、
１つまたは複数の中間層と、
カバー層と、
を備えるゴルフボール。
【請求項１４】
上記１つまたは複数の中間層は、上記内側コアを取り囲み、上記弾性部材間の空間を埋めていることを特徴とする請求項１３に記載のゴルフボール。
【請求項１５】
上記弾性部材は、上記１つまたは複数の中間層を過ぎた位置まで延在していることを特徴とする請求項１４に記載のゴルフボール。  
【請求項１６】
上記１つまたは複数の中間層は、上記弾性部材よりも縮み易いことを特徴とする請求項１３に記載のゴルフボール。
【請求項１７】
内側コア、および上記内側コアから球体的に点対称に半径方向に延在する突起を有するゴルフボールコアと、
１つまたは複数の中間層と、
カバー層と、
を備え、
上記半径方向に延在する突起は、上記カバー層に当接し、
上記半径方向に延在する突起は、上記１つまたは複数の中間層の外面を過ぎた位置まで延在していることを特徴とするゴルフボール。
【請求項１８】
上記ゴルフボールコアは、単一の型成形された部品であることを特徴とする請求項１７に記載のゴルフボール。
【請求項１９】
上記半径方向に延在する突起は、スプリング、コイル、コラムおよびこれらの組合せからなる群から選択されることを特徴とする請求項１７に記載のゴルフボール。
【請求項２０】
上記半径方向に延在する突起は、１つまたは複数の中間層と機械的に接合していることを特徴とする請求項１７に記載のゴルフボール。
【発明の詳細な説明】
【技術分野】
【０００１】
本発明は、概して、内側コアから球体的に点対称な半径方向に延在する突起を有するゴルフボールコアを有するゴルフボールに関し、詳しくは、改良された打感、コントロール特性および心地よい打球音を有するゴルフボールに関する。
【背景技術】
【０００２】
ゴルフの試合は、アマチュアレベルかプロレベルかを問わず人気のスポーツとなっている。ゴルフボールの製造や設計に関する幅広い技術が、当技術分野において周知となっている。そのような技術は、様々なプレー特性を有するゴルフボールとなって現れている。例えば、初速度、スピンおよび飛距離の観点で、いくつかのゴルフボールは、他のゴルフボールと比べて優れた飛翔特性を有する。
【０００３】
同様に、ゴルファーは、自分の好みに応じて様々なプレー特性を有する様々なゴルフボールを使用し得る。例えば、様々なディンプルパターンが飛翔中のゴルフボールの空力学特性に悪影響を与えることがあり、或いは、硬度の差がバックスピンの速度に悪影響を与えることがある。特に硬度に関しては、ゴルファーは、使用するゴルフボールのカバー層および／またはコアが硬いか軟らかいかを選択することができる。硬いゴルフボールは、概して飛距離に優れるがスピンがかかりにくく従ってドライバーショットには向いているが、短いショットでコントロールをつけるのは難しい。他方で、軟らかいボールは、概して、スピンをかけ易く従ってコントロールし易いが、飛距離がでない。良好な飛翔特性を有するいくつかのゴルフボールは、ゴルフクラブで叩いた時に心地よい打感を有さないことがある。良好な特性と心地よい打感を有するゴルフボールも耐久性に欠けることがある。
【発明の概要】
【発明が解決しようとする課題】
【０００４】
従って、当技術分野において、スピンコントロール特性を有するとともに心地よい打感を有する耐久性の高いゴルフボールが求められている。
【課題を解決するための手段】
【０００５】
ゴルフボールコア、１つまたは複数の中間層およびカバー層を有するゴルフボールが開示される。ゴルフボールコアは、半径方向に延在する突起を有する内側コアを含み得る。半径方向に延在する突起は、内側コアから球体的に点対称に突出し得る。半径方向に延在する突起は、内側コアと同じ材料から形成され得る。１つまたは複数の中間層は、内側層を取り囲み、半径方向に延在する突起間の空間を埋めている場合がある。カバー層は、１つまたは複数の中間層と半径方向に延在する突起を取り囲む。
【０００６】
一態様においては、本開示は、半径方向に延在する突起を有する内側コアを提示する。内側コアは、ポリマー材料からつくられ得る。内側コアのポリマー材料は、熱可塑性ポリマーであり得る。半径方向に延在する突起は、内側コアと同じ材料から形成され得る。
【０００７】
他の態様においては、内側コアと半径方向に延在する突起はワンピース（一部品）としてつくられ得る。内側コアおよび半径方向に延在する突起は、射出成形によって形成され得る。内側コアおよび半径方向に延在する突起は、１つのモールド内で形成され得る。
【０００８】
さらなる態様においては、ゴルフボールコアは、１つまたは複数の中間層によって取り囲まれ得る。１つまたは複数の中間層は、内側コアおよび半径方向に延在する突起を取り囲み得る。１つまたは複数の中間層は、内側コアを取り囲むが、半径方向に延在する突起の一部だけを取り囲む場合がある。半径方向に延在する突起は、内側コアから１つまたは複数の中間層を貫通する場合がある。つまり、半径方向に延在する突起は、１つまたは複数の中間層の外面を過ぎた位置まで延在する場合がある。
【０００９】
一態様においては、本開示のゴルフボールは、１つまたは複数の中間層および半径方向に延在する突起を取り囲むカバー層をさらに含む。半径方向に延在する突起は、１つまたは複数の中間層の外面を過ぎた位置まで延在する場合がある。半径方向に延在する突起は、カバー層と当接しつまり直接的に接触する場合もある。いくつかの実施例においては、半径方向に延在する突起は、カバー層内まで延在し得る。他の実施例においては、半径方向に延在する突起の端部は、カバー層内に埋め込まれている。
【００１０】
他の態様においては、本開示は、１つまたは複数の層を有するゴルフボールを提示する。１つまたは複数の中間層は、ポリマー材料からつくられ得る。１つまたは複数の中間層のポリマー材料は、熱可塑性ポリマー材料であり得る。１つまたは複数の中間層は、ゴルフボールコアを形成しているのと同じ熱可塑性ポリマーから形成され得る。１つまたは複数の中間層は、ゴルフボールコアを形成しているのとは異なる熱可塑性材料からつくられ得る。１つまたは複数の中間層は、ゴルフボールコアと同じ硬度を有し得る。１つまたは複数の中間層は、ゴルフボールコアとは異なる硬度を有し得る。１つまたは複数の中間層は、ゴルフボールコアの硬度よりも小さい硬度を有し得る。
【００１１】
本発明の他のシステム、特徴および利点は、添付の図面および以下の説明を読むことにより当業者に明らかとなろう。そのような追加のシステム、方法、特徴および利点が、本発明の技術的範囲を逸脱することなく、以下の説明および要約の範囲内に含まれ、添付の特許請求の範囲により保護されることを意図している。
【００１２】
本発明のいくつかの実施例は、添付の図面および以下の詳細な説明を参照することにより、さらによく理解されよう。各図における部品は、必ずしも正しい縮尺で描かれているとは限らず、本発明の原理を説明することを重視して描かれている。さらには、各図に亘って、同様の参照符号は互いに対応する部分を示している。
【図面の簡単な説明】
【００１３】
【図１】半径方向に延在する突起を有するゴルフボールコアの一実施例を示す図。
【図２】半径方向に延在する突起を有するゴルフボールがｘ軸、ｙ軸およびｚ軸上に配置されていることを示す図。
【図３】一実施例における半径方向に延在する突起を有するゴルフボールが垂直面つまりｙｚ平面に沿って切断されていて、球体的に点対称であることを示す図。
【図４】一実施例における半径方向に延在する突起を有するゴルフボールが水平面つまりｘｚ平面に沿って切断されていて、球体的に点対称であることを示す図。
【図５】一実施例における半径方向に延在する突起を有するゴルフボールコアが斜面に沿って切断されていて、球体的に点対称であることを示す図。
【図６】半径方向に延在する突起を有するゴルフボールコアと、中間層との一実施例を示す図。
【図７】半径方向に延在する突起を有するゴルフボールコアと、２つの中間層との一実施例を示す図。
【図８】半径方向に延在する突起を有するゴルフボールコアと、中間層と、カバー層とを有する完成ゴルフボールの一実施例を示す図。
【図９】完成ゴルフボールの一実施例の断面を示す図。
【図１０】一実施例における完成ゴルフボールにゴルフクラブで打撃を加えている様子を示す図。
【図１１】一実施例における完成ゴルフボールが使用中に応力を加えられている様子を示す図。
【図１２】半径方向に延在する突起としてのコイルないしスプリングを有するゴルフボールコアの一実施例を示す図。
【図１３】半径方向に延在する突起としてのスプリングないしコイルを有するゴルフボールコアと、中間層との一実施例を示す図。
【図１４】半径方向に延在する突起としてのスプリングないしコイルを有するゴルフボールコアと、２つの中間層との一実施例を示す図。
【図１５】半径方向に延在する突起としてのコイルないしスプリングを有するゴルフボールコアと、中間層と、カバー層とを有する完成ゴルフボールの一実施例を示す図であって、ゴルフボールコアと中間層を表すためにカバー層が除かれている図。
【図１６】一実施例における半径方向に延在する突起としてのスプリングないしコイルを有するゴルフボールコアを含む完成ゴルフボールにゴルフクラブで打撃を加えている様子を示す図。
【発明を実施するための形態】
【００１４】
本開示は、概して、内側コアから球体的に点対称に半径方向の延びている突起を有するゴルフボールコアを含むゴルフボールに関する。さらには、本開示のゴルフボールは、１つまたは複数の中間層と、カバー層とを有し得る。
【００１５】
本開示のゴルフボールは、適切なプロセスによって形成され得る。ゴルフボールを製造するプロセスは、様々なファクタに基づいて選択され得る。例えば、ゴルフボールを製造するプロセスは、使用される材料の種類および／または含まれている層の数に基づいて選択される。例示的なプロセスについて、例示的な実施例における個別の層に関連して本明細書中で説明する。
【００１６】
開示のゴルフボールコアは、半径方向に延在する突起を有する内側コアを含み得る。内側コアは、種々の対称的な形状であり得る。内側コアは、球体的な形状を有し得る。半径方向に延在する突起は、内側コアから球体的に点対称な延在し得る。内側コアから半径方向に延在する突起の数は、様々なファクタに基づいて選択され得る。例えば、半径方向に延在する突起の数は、完成ゴルフボールの望ましいプレー特性に基づいて選択され得る。半径方向に延在する突起が球体的に点対称に配置される限りにおいて、種々の数の半径方向に延在する突起が内側コアから延在し得る。ゴルフボールコアは最少で６つの半径方向に延在する突起を有し得る。
【００１７】
本開示の内側コアは、周知のゴルフボール材料から形成され得る。いくつかの実施例においては、材料は、半径方向に延在する突起を有する内側コアを形成するのに適した種々の材料である。いくつかの実施例においては、内側コアは、射出成形プロセスで使用するのに適した材料から形成される。いくつかの実施例においては、内側コアは、ＲＩＭ成形プロセスで使用するのに適した材料から形成される。いくつかの実施例においては、材料は、ポリマー材料である。いくつかの実施例においては、ポリマー材料は、熱可塑性ポリマーないし熱可塑性樹脂である。いくつかの実施例においては、ポリマー材料は、アイオノマーである。内側コア用に選択される材料の種類は、様々なファクタに基づいて選択され得る。例えば、内側コアを形成するのに使用される材料は、完成ゴルフボールの所望のプレー特性に基づいて選択される。
【００１８】
開示の実施例は、ゴルフクラブからの衝撃力をカバー層から内側コアまで伝えることを制御する装備を含む。この装備のいくつかは、カバー層から内側コアまでの力の伝達を向上させ得る。他の装備は、カバー層から内側コアまでの力の伝達を制限し得る。いくつかの実施例におけるゴルフボールコアは、力の伝達を実現する形状に形成され或いは設計され得る。本開示のゴルフボールコアは、カバー層から内側コアまでの力の伝達を支援するように半径方向に延在する突起を有し得る。ゴルフボールの半径方向に延在する突起は、球体的に点対称に配置され得る。
【００１９】
いくつかの実施例における半径方向に延在する突起は、ゴルフボールコアの弾性部材として機能する半径方向に延在する突起を含み得る。弾性とは、曲げられ、圧縮され、或いは引き伸ばされた後、元の形態または位置に戻ることができる能力を有するものとして定義され得る。換言すると、弾性とは、弾力的に変形されたときにエネルギーを吸収して、荷重が解除されたときにエネルギーを放出する材料の能力のことである。いくつかの実施例においては、半径方向に延在する突起は、ゴルフクラブからの衝撃力を受けたときに回復力（弾性力）を有する。
【００２０】
いくつかの実施例においては、半径方向に延在する突起は、内側コアと同じ材料から形成されている。さらには、半径方向に延在する突起と、内側コアとはワンピース（一部品）からなり得る。内側コアおよび半径方向に延在する突起を有するゴルフボールコアは、適切な方法によって形成され得る。ゴルフボールコアを形成するのに選択される方法は、ゴルフボールコアを形成するのに使用される材料に基づき得る。内側コアは、射出成形によって形成され得る。半径方向に延在する突起および内側コアは、射出成形によって形成され得る。半径方向に延在する突起および内側コアは、単一のモールド内で形成され得る。
【００２１】
半径方向に延在する突起は、種々の寸法、形状ないし意匠を有するように形成され得る。いくつかの実施例においては、半径方向に延在する突起は、内側コアから外方へ延びているコラム（柱）である。さらには、半径方向に延在する突起は、テーパの付されたコラムであって、内側コアに当接するコラムの基部は、カバー層に当接するコラムの頂部よりも幅広であり得る。加えて、半径方向に延在する突起の頂部は平坦であるか、或いは、カバー層の曲率と整合するように、凸状の形状つまりドーム型の形状に形成されている。
【００２２】
半径方向に延在する突起の形状ないし意匠は、様々なファクタに基づいて選択され得る。所望のプレー特性を有する完成ゴルフボールを提供するために、半径方向に延在する突起の寸法や意匠が選択され得る。例えば、半径方向に延在する突起の各々の長さは、内側コアの寸法に基づいて変化する。さらには、堅い打感を有する完成ゴルフボールを提供するために、半径方向に延在する突起が幅広に形成され得る。いくつかの実施例においては、柔らかい打感を有する完成ゴルフボールを提供するために、半径方向に延在する突起が細く形成される。加えて、ゴルフボールコアは、様々な形状と寸法を有する半径方向に延在する突起の組合せを含み得る。
【００２３】
図１は、内側コア１１０と、１つまたは複数の半径方向に延在する突起とを有するゴルフボールコア１００を示す。図１に示されている実施例においては、ゴルフボール１００は、半径方向に延在する第１の突起１２０、半径方向に延在する第２の突起１２２、半径方向に延在する第３の突起１２４、半径方向に延在する第４の突起１２６、半径方向に延在する第５の突起１２８、半径方向に延在する第６の突起１３０、半径方向に延在する第７の突起１３２、半径方向に延在する第８の突起１３４、および半径方向に延在する第９の突起１３６を含む。さらには、半径方向に延在する突起と、内側コアとが同じ材料から形成され得る。半径方向に延在する突起と、内側コアとはワンピース（一部品）からなり得る。
【００２４】
図１に示されるように、半径方向に延在する突起は、内側コア１１０から球体的に点対称に延びるように配置されている。内側コア１１０から半径方向に延在する突起の各々は、これらに対応して内側コア１１０の正反対の側で内側コア１１０から延びている突起を有し得る。例えば、内側コア１１０の一側で半径方向に延在する突起１２０が内側コア１１０から一方向に延在するとともに、内側コア１１０の正反対の側で半径方向に延在する突起１２８が内側コア１１０から正反対の方向に延在する。加えて、半径方向に延在する複数の突起は、内側コア１１０上で互いに等しい距離だけ離間して配置され得る。
【００２５】
３次元空間においては、対象物がｘ軸、ｙ軸およびｚ軸によって画定され得る。図１と同様に、図２は、内側コア２１０と、１つまたは複数の半径方向に延在する突起とを有するゴルフボールコア２００を示す。図２に示される実施例においては、ゴルフボール２００は、半径方向に延在する第１の突起２２０、半径方向に延在する第２の突起２２２、半径方向に延在する第３の突起２２４、半径方向に延在する第４の突起２２６、半径方向に延在する第５の突起２２８、半径方向に延在する第６の突起２３０、半径方向に延在する第７の突起２３２、半径方向に延在する第８の突起２３４、半径方向に延在する第９の突起２３６、半径方向に延在する第１０の突起２３８、および半径方向に延在する第１１の突起２４０を含む。加えて、図２は、ゴルフボールコア２００についてのｘ軸、ｙ軸およびｚ軸を示す。
【００２６】
図２に示される実施例においては、ゴルフボールコア２００は、概ね、球体的に点対称に形成されている。内側コア２１０から半径方向に延在する突起の各々は、内側コア２１０の正反対の側で内側コア２１０から延在する同様の突起を有する。例えば、内側コアの一側で半径方向に延在する第２の突起２２２が内側コア２１０から一方向に延在するとともに、内側コアの反対側で半径方向に延在する第６の突起２３０が内側コア２１０から反対の方向に延在する。
【００２７】
同様に、他の半径方向に延在する突起は、これらに対応して内側コア２１０の反対側に配置された突起を有する。内側コア２１０の反対側に突起を配置することによって、球体的な点対称が維持されている。
【００２８】
さらには、半径方向に延在する複数の突起は、内側コア２１０上で互いに等しい距離だけ離間されている。具体的には、半径方向に延在する突起は、隣接する半径方向に延在する突起と等しい距離だけ離間されているだけでなく、隣接しない半径方向に延在する突起とも等しい距離だけ離間され得る。例えば、図２に示される実施例においては、半径方向に延在する第１１の突起２４０は、半径方向に延在する第４の突起２２６、半径方向に延在する第６の突起２３０、半径方向に延在する第９の突起２３６、および半径方向に延在する第１０の突起２３８から等しく第１の距離だけ離間している。これに加え、半径方向に延在する第１１の突起２４０は、半径方向に延在する第１の突起２２０および半径方向に延在する第５の突起２２８から等しく第２の距離だけ離間している。隣接する突起との距離および隣接しない突起との距離を調節・制御することにより、球体的な点対称が維持される。
【００２９】
具体的には、図３は、垂直な面に沿って切り出されたゴルフボールコアを示している。図３は、ゴルフボールコアが概ね球体的に点対称であることを示している。半分に割られたゴルフボールコアの各々は、同数の半径方向に延在する突起を含み、こうして球体的に点対称に形成されている。さらには、ゴルフボールコアの半部は、等しい数の半径方向に延在する突起が球体的に点対称に配置され得ることを示している。ゴルフボールコアの半部は、互いに鏡写しの関係にあると言える。
【００３０】
同様に、図４は、水平面に沿って切られたゴルフボールコアを示している。図４は、ゴルフボールコアが概ね球体的に点対称であることを示している。ゴルフボールコアの半部の各々は、同数の半径方向に延在する突起を含む。さらには、ゴルフボールコアの半部は、等しい数の半径方向に延在する突起が球体的に点対称に配置され得ることを示している。また再び、ゴルフボールコア半部が互いに鏡写しの関係にあることを示している。
【００３１】
さらには、図５は、斜面に沿って切断されたゴルフボールコアを示す。図５は、ゴルフボールコア５００が概ね球体的に点対称であることを示している。半分に割られたゴルフボールコアの各々は、同数の半径方向に延在する突起を含む。さらには、ゴルフボールコアの半部は、等しい数の半径方向に延在する突起が球体的に点対称に配置され得ることを示している。図に見られるように、ゴルフボールコア半部は、互いに鏡写しの関係にある。
【００３２】
図３、図４および図５は、ゴルフボールコアの球体的な点対称を示している。開示する目的で、ゴルフボールコアつまりゴルフボールの系は、球体的に点対称であり、この系は、指定の点例えばゴルフボールの中心点を中心として空間的に回転しても不変である。さらには、ゴルフボールコアが球体的に点対称に形成されているいくつかの実施例においては、該ゴルフボールコアは、ゴルフボールコアの中心を含む面において、半径方向に延在する複数の突起間に規則的な角度の増加を有する。ゴルフボールコアが球体的に点対称に形成されている他の実施例においては、ゴルフボールコアは、中心を含む任意の平面に沿って２つの半部に切られていて、切り出された２つの半部は、実質的に鏡写しの関係にある。さらなる実施例においては、ゴルフボールコアが球体的に点対称であるときに、ゴルフボールコアのマスバランス（質量平衡）がとれている。例えば、ゴルフボールコアが静的であれ動的であれ回転体として扱われてバランスがとれているときに、ゴルフボールコアのマスバランスがとれている。
【００３３】
ゴルフボールのいくつかの実施形態は、１つまたは複数の中間層を含む。１つまたは複数の中間層は、内側コアから半径方向に離間して内側コアを取り囲んでいる場合がある。また、１つまたは複数の中間層は、半径方向に延在する突起間の空間を埋めている場合がある。いくつかの場合、１つまたは複数の中間層は、内側コアおよび半径方向に延在する突起を完全に包囲する。他の実施例においては、半径方向に延在する突起は、１つまたは複数の中間層の外面を過ぎた位置まで延在する。換言すれば、１つまたは複数の中間層は、半径方向に延在する突起を完全には包囲しない場合がある。
【００３４】
いくつかの実施例においては、１つまたは複数の中間層は、ゴルフボールに適した材料から形成されている。いくつかの実施例においては、材料は、ゴルフボールコアの周りに中間層を形成するのに適した材料である。いくつかの実施例においては、１つまたは複数の中間層は、射出成形プロセスで使用するのに適した材料から形成される。いくつかの実施例においては、１つまたは複数の中間層は、ＲＩＭ成形プロセスで使用するのに適した材料から形成される。いくつかの実施例においては、１つまたは複数の中間層は、圧縮成形に適した材料から形成される。いくつかの実施例においては、材料は、ポリマー材料である。いくつかの実施例においては、ポリマー材料は、熱可塑性ポリマーないし熱可塑性樹脂である。いくつかの実施例においては、ポリマー材料は、アイオノマーである。
【００３５】
２つ以上の中間層が形成されている実施例においては、該２つ以上の層を形成している材料は、同じ場合もあれば互いに異なる場合もある。さらには、該２つ以上の層の厚さは、同じ場合もあれば互いに異なる場合もある。２つ以上の中間層が存在する実施例においては、個別の層間に接着剤が存在し得る。しかし、他の実施例においては、接着剤を使用することが省略されている。
【００３６】
１つまたは複数の中間層の厚さは、様々なファクタに基づいて選択され得る。例えば、各中間層の厚さは、完成ゴルフボールの所望のプレー特性をもたらすように選択される。さらには、各層の厚さは、ゴルフボールコアの内側コアの寸法に関連し得る。上述したように、中間層は、半径方向に延在する突起の各々の少なくとも端部を完全には包囲しない場合がある。いくつかの実施例においては、半径方向に延在する突起は、１つまたは複数の中間層の外面を過ぎた位置まで延在する。従って、いくつかの実施例においては、１つまたは複数の中間層の厚さは、内側コアから半径方向に延在する突起の長さに限定される。
【００３７】
いくつかの実施例においては、１つまたは複数の中間層の硬さは、ゴルフボールコアの硬さと同程度である。他の実施例においては、１つまたは複数の中間層の硬さは、ゴルフボールコアの硬さとは異なる。１つまたは複数の中間層の硬さがゴルフボールコアの硬さとは異なる実施例においては、１つまたは複数の中間層の硬さは、ゴルフボールコアの硬さよりも小さい。しかし、他の実施例においては、１つまたは複数の中間層の硬さは、ゴルフボールコアの硬さよりも大きい。２つ以上の中間層を有する実施例においては、該２つ以上の層の硬さは、同じ場合もあれば互いに異なる場合もある。２つ以上の中間層の各々の硬さは、ゴルフボールコアの硬さと同じ場合もあれば異なる場合もある。
【００３８】
図６に示されるように、ゴルフボールコアは、中間層によって取り囲まれ得る。図６においては、半径方向に延在する第１の突起６３０、半径方向に延在する第２の突起６３２、半径方向に延在する第３の突起６３４、半径方向に延在する第４の突起６３６、半径方向に延在する第５の突起６３８、半径方向に延在する第６の突起６４０、半径方向に延在する第７の突起６４２、半径方向に延在する第８の突起６４４、および半径方向に延在する第９の突起６４６の間の空間を埋めることによって、中間層６２０が内側コア６１０を取り囲んでいる。加えて、ゴルフボールコアは、図６に示されていない半径方向に延在する突起を含み得る。例えば、半径方向に延在する第２の突起６３２は、これに対応して内側コアの反対側で内側コア６１０から延びている半径方向に延在する突起を有する。同様に、半径方向に延在する第４の突起６３６、半径方向に延在する第６の突起６４０、半径方向に延在する第８の突起６４４、および半径方向に延在する第９の突起６４６は、これらに対応して内側コア６１０の反対側で半径方向に延在する突起（図６には図示せず）を有する。
【００３９】
さらには、中間層６２０は、半径方向に延在する突起を完全には包囲しない場合がある。いくつかの実施例においては、半径方向に延在する突起はまた、中間層によって包囲されることなく、中間層の外面と面一となる位置まで延在する。他の実施例においては、半径方向に延在する突起は、中間層６２０の外面を過ぎた位置まで延在する。例えば、半径方向に延在する突起６３８は、中間層６２０の面を過ぎた位置まで延在する。半径方向に延在する突起が中間層の外面を過ぎた位置まで延在する実施例においては、中間層の外面を過ぎた位置まで延在する半径方向に延在する突起の部分は、該半径方向に延在する突起の長さの約１／５〜約１／５０であるとよい。
【００４０】
図７はまた、第１の中間層７２０および第２の中間層７３０によって取り囲まれた内側コア７１０を示す。半径方向に延在する第１の突起７４０、半径方向に延在する第２の突起７４２、半径方向に延在する第３の突起７４４、半径方向に延在する第４の突起７４６、半径方向に延在する第５の突起７４８、半径方向に延在する第６の突起７５０、半径方向に延在する第７の突起７５２、半径方向に延在する第８の突起７５４、および半径方向に延在する第９の突起７５６の間の空間を所定の半径方向の高さまで埋めることによって、第１の中間層７２０が内側コア７１０を取り囲んでいる。さらには、第２の中間層７３０が内側コア７１０と第１の中間層７２０を取り囲む。換言すれは、第２の中間層７３０は、第１の中間層７２０の半径方向外側に配置され得る。その場合も、半径方向に延在する第１の突起７４０、半径方向に延在する第２の突起７４２、半径方向に延在する第３の突起７４４、半径方向に延在する第４の突起７４６、半径方向に延在する第５の突起７４８、半径方向に延在する第６の突起７５０、半径方向に延在する第７の突起７５２、半径方向に延在する第８の突起７５４、および半径方向に延在する第９の突起７５６の間の空間を所定の半径方向の高さまで、第２の中間層７３０が埋めている。
【００４１】
さらには、図７に示される実施例においては、第１の中間層７２０および第２の中間層７３０は、半径方向に延在する突起を完全には包囲しない場合がある。いくつかの実施例においては、半径方向に延在する突起はまた、中間層によって取り囲まれることなく、中間層の外面と面一となる位置まで延在する。他の実施例においては、図７に示されるように、半径方向に延在する突起例えば半径方向に延在する第３の突起７４４および半径方向に延在する第５の突起７４８が、第２の中間層７３０の外面を過ぎた位置まで延在する。いくつかの実施例においては、半径方向に延在する突起の少なくとも端部が、１つまたは複数の中間層の外面を過ぎた位置まで延在する。その場合も、中間層の外面を過ぎた位置まで延在する半径方向に延在する突起の部分は、該半径方向に延在する突起の長さの約１／５〜約１／５０であるとよい。
【００４２】
ゴルフボールのいくつかの実施例は、カバー層をさらに含み得る。カバー層は、ゴルフボールカバー層をつくるのに適したプロセスを用いてつくられ得る。例えば、いくつかの実施例においては、カバー層は、圧縮成形プロセスを用いてつくられる。カバー層をつくるプロセスは、様々なファクタに基づいて選択され得る。例えば、カバー層をつくるプロセスは、カバー層をつくるのに使用される材料の種類に基づいて選択される。カバー層は、ゴルフボールカバー層をつくるのに適した材料を使ってつくられ得る。
【００４３】
本開示のいくつかの実施例におけるゴルフボールは、カバー層と、半径方向に延在する突起と、１つまたは複数の中間層の外面と、の間に追加の層を含み得る。この追加の層は、適切なゴルフボール材料からつくられ得る。追加の層は、カバー層と、半径方向に延在する突起と、１つまたは複数の中間層の外面と、の間の接着を支援し得る。いくつかの実施例においては、追加の層として選択される材料は、カバー層から半径方向に延在する突起までの力の伝達さらには内側コアまでの力の伝達に与える影響が小さい。他の実施例においては、追加の層として選択される材料は、カバー層から半径方向に延在する突起までの力の伝達さらには内側コアまでの力の伝達を向上させる。さらにいくつかの実施例においては、追加の層として選択される材料は、カバー層から半径方向に延在する突起までの力の伝達さらには内側コアまでの力の伝達に何ら影響を与えない。
【００４４】
図８は、ゴルフボールコア８１０、中間層８２０およびカバー層８３０を有する完成ゴルフボール８００の一実施例を示す。カバー層８３０は、完成ゴルフボール８００の内側を表すために切り取られている。図８に、半径方向に延在する第１の突起８４０、半径方向に延在する第２の突起８４２、半径方向に延在する第３の突起８４４、半径方向に延在する第４の突起８４６、半径方向に延在する第５の突起８４８、および半径方向に延在する第６の突起８５０が見られる。中間層８２０が、半径方向に延在する突起間の空間を埋めている。しかし、半径方向に延在する突起は、中間層８２０の外面を過ぎた位置まで延在している。例えば、少なくとも半径方向に延在する第３の突起８４４および半径方向に延在する第５の突起８４８がカバー層と当接しつまり接触していることが切取り部に示されている。この実施例においては、半径方向に延在する第３の突起８４４および半径方向に延在する第５の突起８４８は、カバー層内まで延在している。
【００４５】
図９は、一実施例における完成ゴルフボール９００の断面を示している。この断面には、半径方向に延在する第１の突起９４０、半径方向に延在する第２の突起９４２、半径方向に延在する第３の突起９４４および半径方向に延在する第４の突起９４６を有するゴルフボールコアと、中間層９２０と、カバー層９３０とが表されている。完成ゴルフボール９００の断面は、球体的に点対称のゴルフボールコアを表している。加えて、半径方向に延在する第１の突起９４０、半径方向に延在する第２の突起９４２、半径方向に延在する第３の突起９４４、半径方向に延在する第４の突起９４６はすべて、カバー層と当接しつまり接触している。半径方向に延在する突起がカバー層と当接している実施例においては、ゴルフクラブがゴルフボールに加える衝撃力が、カバー層を介して、ゴルフクラブの面で打たれたカバー層の部分と当接している半径方向に延在する突起まで伝達され、さらには、半径方向に延在する突起を介して内側コアまで伝達される。
【００４６】
図１０は、ゴルフクラブ１０４０によって叩かれている完成ゴルフボール１０００を示している。完成ゴルフボール１０００は、内側コア１０６０、半径方向に延在する第１の突起１０５０、半径方向に延在する第２の突起１０５２、半径方向に延在する第３の突起１０５４、半径方向に延在する第４の突起１０５６および半径方向に延在する第５の突起１０５８を有するゴルフボールコア１０１０と、中間層１０２０と、カバー層１０３０とを含む。ゴルフボールコア１０１０の少なくとも半径方向に延在する第２の突起１０５２、半径方向に延在する第４の突起１０５６および半径方向に延在する第５の突起１０５８は、カバー層１０３０と当接しつまり直接的に接触している。
【００４７】
ゴルフクラブ１０４０が完成ゴルフボール１０００を叩く時、カバー層１０３０の一部と、該カバー層１０３０の一部と接触している半径方向に延在する突起例えば半径方向に延在する第２の突起１０５２がゴルフクラブから打撃を受けて圧縮され得る。ゴルフクラブ１０４０の衝撃力は、カバー層を介して、該カバー層の部分と接触している半径方向に延在する突起例えば半径方向に延在する第２の突起１０５２まで伝達され得る。さらには、この衝撃の力は、半径方向に延在する第２の突起を介して、ゴルフボールコア１０１０の内側コア１０６０内まで伝達され得る。
【００４８】
ゴルフクラブ１０４０で打たれた時、カバー層１０３０およびゴルフボールコア１０１０だけでなく、完成ゴルフボール１０００の中間層１０２０も圧縮され得る。上述したように、１つまたは複数の中間層は、ゴルフボールコアの硬さとは異なる硬さを有し得る。いくつかの実施例においては、中間層１０２０は、ゴルフボールコア１０１０の硬さよりも小さい硬さを有する。軟らかい中間層１０２０は、ゴルフクラブで打った時に心地よい打感とコントロール特性を有するゴルフボールをもたらす。
【００４９】
半径方向に延在する突起を有するゴルフボールコアを有する本開示の完成ゴルフボールは、ドライバーロングアイアンでの飛距離を短くすることなく、心地よい打感を有するゴルフボールを提供することができる。これに加え、本開示の完成ゴルフボールは、ショートアイアンで叩いた時に優れたコントロール特性やスピン特性を有するゴルフボールを提供することができる。さらには、本開示の完成ゴルフボールは、ゴルフクラブで叩いた時に心地良い打球音をもたらし得る。
【００５０】
上述した優れたプレー特性に加えて、本開示のゴルフボールはまた、改善された構造と耐久性を呈し得る。従来のゴルフボールは、コア、カバー層、およびコアとカバー層の間のマントル層でつくられている。典型的には、ゴルフボールのこれらの層は、ある種類の接着剤を使って接合されている。接着剤は、これらの層を形成する材料間を相互作用させ得る。接着剤はまた、これらの層間をコーティングしている接着剤であり得る。いずれの場合も、ゴルフボール構成要素間の接着をどうするかは難題となる場合がある。例えば、隣り合う層の剥離、材料のバックリング（座屈）、材料の破砕やひび割れなどによって、ゴルフボールの複数の層が互いに解離した場合、ボールは、役に立たなくなる。すなわち、ゴルフボールの層間の接着が弱いと、層の解離が生じる恐れがある。
【００５１】
本開示の完成ゴルフボールは、耐久性を向上させ得る。本開示の完成ゴルフボールにおいては、ゴルフボールコアと中間層とが従来の接合方法で接合され得る。例えば、本開示の完成ゴルフボールは、化学的手段によって隣り合う層を接合している場合がある。化学的手段としては、ゴルフボールコアと中間層の材料間を相互作用させる場合もあれば、２つの構成要素間に存在する接着層となる場合もある。
【００５２】
しかし、本開示の完成ゴルフボールはまた、完成ゴルフボールの耐久性を変化させる化学的手段を有し得る。図１１の実施例に示されるように、完成ゴルフボール１１００の半径方向に延在する第１の突起１１３０、半径方向に延在する第２の突起１１３２、半径方向に延在する第３の突起１１３４、半径方向に延在する第４の突起１１３６、半径方向に延在する第５の突起１１３８、半径方向に延在する第６の突起１１４０、半径方向に延在する第７の突起１１４２、半径方向に延在する第８の突起１１４４および半径方向に延在する第９の突起１１４６は、ゴルフボールコア１１１０から中間層１１２０を貫通するように延在している。半径方向に延在する突起はまた、中間層を貫通していることによって、該中間層を機械的に所定の位置に保持し得る。図１１においては、半径方向に延在する突起は、テーパを付されたコラムの形態で示されているが、種々の寸法や形状を有する半径方向に延在する突起が中間層に同様の効果を奏し得る。
【００５３】
ゴルフボールに力が加えられた時、半径方向に延在する突起は、移動つまりシフトしようとする１つまたは複数の中間層に機械的な抵抗をもたらし、これにより完成ゴルフボールの耐久性を維持している。例えば、ゴルフボールが高速で回転している時（完成ゴルフボール１１００の周りの矢印によって示されている）、スピンの力がゴルフボールコアと中間層との間の接合面に応力を加え得る。接合面への応力に対する抵抗を向上させることにより、耐久性が高められたゴルフボールとなる。従って、本開示のゴルフボールは、飛距離の特性や打感を損なうことなく、耐久性を向上させ得る。
【００５４】
いくつかの実施例における完成ゴルフボールは、静的バランスと動的バランスの両方がとれている。静的バランスとは、水平面上に置かれたときの姿勢を保つことができる能力として定義され得る。動的バランスとは、回転体が回転する力を受けているときの回転軸が、慣性の主軸と平行であり続ける能力として定義され得る。換言すれば、動的バランスは、物体（ゴルフボール）の質量が回転中心線の周りに均等に分布しているときに生じる。いくつかの実施例におけるゴルフボールは、該ゴルフボールが静的にも動的にもバランスをとれているように、調整つまり修整されている。
【００５５】
上述したいくつかの実施例においては、ゴルフボールコアの半径方向に延在する突起がコラムの形態である一方で、ゴルフボールの他の実施例においては、半径方向に延在する突起は、種々の適切な形状をとり得る。いくつかの実施例においては、半径方向に延在する突起は、スプリングやコアの形状に形成されている。
【００５６】
上述したように、コイルやスプリングの形状の半径方向に延在する突起の形状や寸法は、様々なファクタに基づいて選択され得る。半径方向に延在する突起の寸法および形状は、所望のプレー特性を有する完成ゴルフボールをもたらすように選択され得る。加えて、半径方向に延在する突起の各々の長さは、内側コアの寸法に基づいて変化し得る。半径方向に延在する突起の各々の寸法は、選ばれた突起の型式（スプリング、コイルまたはコラム）と、その半径方向に延在する突起を形成するために使用される材料とに依存し得る。加えて、ゴルフボールコアは、様々な形状や寸法を有する半径方向に延在する突起の組合せを含み得る。
【００５７】
さらに、スプリングないしコイルは、適切な剛性つまりバネ定数を有し得る。いくつかの実施例においては、半径方向に延在する突起の剛性は小さい。半径方向に延在する突起の剛性が低い実施例においては、完成ゴルフボールが柔らかい打感を有し得る。加えて、剛性の低い半径方向に延在する突起を有する完成ゴルフボールは、ショートアイアンやウェッジで打った時に優れたコントロール特性を示し得る。いくつかの実施例においては、半径方向に延在する突起の剛性は高い。半径方向に延在する突起の剛性が高い実施例においては、完成ゴルフは堅い打感を有し得る。半径方向に延在する突起の各々の剛性は、該半径方向に延在する突起を形成するために使用される材料に依存し得る。さらには、半径方向に延在する突起の各々の剛性は、該半径方向に延在する突起の各々の寸法および形状に依存し得る。半径方向に延在する突起の剛性は、完成ゴルフボールの所望のプレー特性に基づいて選択され得る。
【００５８】
上述したように、本開示の内側コアは、ゴルフボールに適した材料からつくられ得る。例えば、内側コアは、射出成形に適した材料からつくられ得る。さらには、内側コアは、ポリマー材料からつくられ得る。内側コアのポリマー材料は熱可塑性ポリマーであり得る。
【００５９】
スプリングないしコイルの形態の半径方向に延在する突起は、選択された形状や構成に適した材料からつくられ得る。さらには、選択される材料は、射出成形に適した材料であり得る。コイルないしスプリングの形態の半径方向に延在する突起は、内側コアと同じ材料からつくられ得る。半径方向に延在する突起はポリマーからつくられ得る。ポリマーは熱可塑性ポリマーであり得る。
【００６０】
図１２は、内側コア１２１０、半径方向に延在する第１の突起１２２０、半径方向に延在する第２の突起１２２２、半径方向に延在する第３の突起１２２４、半径方向に延在する第４の突起１２２６、半径方向に延在する第５の突起１２２８および半径方向に延在する第６の突起１２３０と、を有するゴルフボールコア１２００の一実施例を示す。半径方向に延在する突起は、内側コア１２１０から球体的に点対称に延在するように配置され得る。図に見られるように、いくつかの実施例における半径方向に延在する突起は、ｘ軸、ｙ軸およびｚ軸に沿って配置され得る。
【００６１】
図１２に示される実施例においては、ゴルフボールコア１２００は、該ゴルフボールコアが球体的に点対称であり得ることを示している。内側コア１２１０から延びている半径方向に延在する突起の各々は、該内側コア１２１０の反対側で該内側コア１２１０から延びている同様の半径方向に延在する突起を有し得る。例えば、半径方向に延在する突起１２３０が一側で内側コア１２１０から一方向に延びているとともに、半径方向に延在する突起１２２４は、内側コアの反対側で内側コア１２１０から反対の方向に延在している。加えて、半径方向に延在する突起は、内側コア１２１０上で互いに等しい距離だけ離間して配置され得る。上述したように、隣接する突起との間および隣接しない突起との間の空間を調整つまり制御することにより、球体的な点対称を維持することができる。
【００６２】
上述したいくつかの実施例（その全体を以下の参照とする）と同様に、半径方向に延在する突起としてスプリングないしコイルを有するゴルフボールコアを有する本開示のゴルフボールは、１つまたは複数の中間層を含み得る。加えて、１つまたは複数の中間層が周知のゴルフボール材料からつくられ得る。２つ以上の中間層が形成されている実施例においては、該２つ以上の層を形成している材料は、同じ場合もあれば互いに異なる場合もある。
【００６３】
いくつかの実施例においては、１つまたは複数の中間層の硬度は、ゴルフボールコアの硬度と同じである。しかし、１つまたは複数の中間層の硬度は、ゴルフボールコアの硬度とは異なる場合がある。１つまたは複数の中間層の硬度がゴルフボールコアの硬度とは異なる場合、１つまたは複数の中間層の硬度は、ゴルフボールコアの硬度よりも小さい場合がある。他の実施例においては、１つまたは複数の中間層の硬度は、ゴルフボールコアの硬度よりも大きい。２つ以上の中間層を有する実施例においては、該２つ以上の中間層の硬度は、同じ場合もあれば互いに異なる場合もある。
【００６４】
さらには、ゴルフクラブで打った時、中間層は、半径方向に延在する突起を様々な程度に圧縮させる。いくつかの実施例においては、中間層は、半径方向に延在する突起よりも縮み易い。そのような実施例においては、ゴルフボールは、柔らかい打感と優れたスピンコントロール特性を呈する。他の実施例においては、中間層は、半径方向に延在する突起よりも縮み難い。そのような実施例においては、ゴルフボールは、堅い打感を呈する。
【００６５】
図１３に示される実施例においては、ゴルフボールコア１５００は、１つまたは複数の中間層によって取り囲まれている。図１３においては、半径方向に延在する第１の突起１５３０、半径方向に延在する第２の突起１５３２、半径方向に延在する第３の突起１５３４、半径方向に延在する第４の突起１５３６および半径方向に延在する第５の突起１５３８の間の空間を埋めることによって、中間層１５２０が内側コア１５１０を半径方向外側で取り囲んでいる。いくつかの実施例においては、中間層１５２０は、半径方向に延在する突起を包囲している。他の実施例においては、中間層１５２０は、半径方向に延在する突起を完全には包囲していない。例えば、半径方向に延在する突起１５３２は、中間層１５２０の外面を過ぎた位置まで延在している場合がある。
【００６６】
図１４はまた、第１の中間層１６２０および第２の中間層１６３０によって取り囲まれたゴルフボールコア１６００を示す。半径方向に延在する第１の突起１６４０、半径方向に延在する第２の突起１６４２、半径方向に延在する第３の突起１６４４、半径方向に延在する第４の突起１６４６および半径方向に延在する第５の突起１６４８の間の空間を埋めることによって、第１の中間層１６２０が内側コア１６１０を半径方向外側で取り囲んでいる。さらには、第２の中間層１６３０が、ゴルフボールコア１６１０および第１の中間層１６２０を半径方向外側で取り囲み得る。この場合にも、第２の中間層１６３０は、半径方向に延在する第１の突起１６４０、半径方向に延在する第２の突起１６４２、半径方向に延在する第３の突起１６４４、半径方向に延在する第４の突起１６４６および半径方向に延在する第５の突起１６４８の間の空間を埋めている。いくつかの場合、第２の中間層１６３０は、半径方向に延在する突起を包囲している。他の実施例においては、第１の中間層１６２０および第２の中間層１６３０は、半径方向に延在する突起を完全には包囲していない。例えば、半径方向に延在する突起１６４０は、第２の中間層１６３０の外面を過ぎた位置まで延在している。
【００６７】
上述したように（全体を以下の参照とする）、カバー層は、ゴルフボールカバー層をつくるのに適したプロセスによってつくられ得る。さらには、上述したように（全体を本願の参照とする）、いくつかの実施例における本開示のゴルフボールは、カバー層と、半径方向に延在する突起と、１つまたは複数の中間層の外面と、の間に追加の層を含む。この追加の層は、種々の適切なゴルフボール材料からつくられ得る。
【００６８】
図１５は、内側コア１７１０、中間層１７２０およびカバー層１７４０を有する完成ゴルフボール１７００の一実施例を示す。完成ゴルフボール１７００の内側を表すために、カバー層１７４０が切り取られている。図１５に見られるように、内側コア１７１０は、半径方向に延在する第１の突起１７３０、半径方向に延在する第２の突起１７３２および半径方向に延在する第３の突起１７３４を含む。中間層１７２０は、半径方向に延在する突起間の空間を埋めるが、半径方向に延在する突起を完全には包囲しない場合がある。例えば、切取り図は、半径方向に延在する第３の突起１７３０がカバー層と当接しつまり接触していることを表している。
【００６９】
いくつかの実施例においては、半径方向に延在する突起は、カバー層と当接する。ゴルフクラブでゴルフボールを打った時の衝撃力が、カバー層を介して、ゴルフクラブのフェースで打たれたカバー層の部分と当接している半径方向に延在する突起まで伝達され、さらには、半径方向に延在する突起を介して内側コアまで伝達される。図１６に示される実施例においては、完成ゴルフボール１８００は、ゴルフクラブ１８５０で打たれる。完成ゴルフボール１８００は、半径方向に延在する第１の突起１８４０、半径方向に延在する第２の突起１８４２および半径方向に延在する第３の突起１８４４を有するゴルフボールコア１８１０と、中間層１８２０と、カバー層１８３０とを含む。ゴルフボールコア１８１０の少なくとも半径方向に延在する第３の突起１８４４は、カバー層１８３０と当接しつまり直接的に接触している場合がある。ゴルフクラブ１８５０で完成ゴルフボール１８００を打つ時に、カバー層１８３０と、カバー層１８３０の一部と接触する突起例えば半径方向に延在する第３の突起１８４４は、ゴルフクラブからの打撃を受けて圧縮され得る。ゴルフクラブ１８５０の衝撃力は、半径方向に延在する突起例えば半径方向に延在する第３の突起１８４４を介して内側コア１８１０へ伝達され得る。
【００７０】
ゴルフクラブ１８５０で打たれた時に、カバー層１８３０および内側コア１８１０だけでなく、完成ゴルフボール１８００の中間層１８２０も圧縮され得る。いくつかの実施例においては、中間層１８２０は、ゴルフボールコア１８１０の硬さよりも小さい硬度を有する。軟らかい中間層１８２０は、ゴルフクラブで打った時のゴルフボールの打感が心地よい。
【００７１】
上述したように、半径方向に延在する突起を有する本開示の完成ゴルフボールは、ドライバーやロングアイアンで打った際の距離を縮めることなく、心地よい打感を有する完成ゴルフボールを提供することができる。加えて、本開示の完成ゴルフボールは、ショートアイアンで打った時に優れたコントロール特性およびスピン特性を有するゴルフボールを提供することができる。さらには、本開示の完成ゴルフボールは、ゴルフクラブで打った時の打球音が心地よい。
【００７２】
本発明のゴルフボールは、上述した改善されたプレー特性に加え、構造および耐久性を向上させ得る。本開示の完成ゴルフボールは、該完成ゴルフボールの耐久性を改善する機械的手段を有し得る。半径方向に延在する突起は、中間層を貫通していることによって、該中間層を所定の位置に保持することができる。
【００７３】
ゴルフボールに力が加えられたときに、半径方向に延在する突起は、移動つまりシフトしようとする１つまたは複数の中間層に機械的な抵抗をもたらし、これによって、完成ゴルフボールの耐久性を維持する。接合面への応力に対する抵抗を向上させることにより、耐久性の高いゴルフボールを提供することができる。従って、本発明のゴルフボールは、飛距離やゴルフボールの打感を犠牲にすることなく、耐久性を向上させることができる。
【００７４】
いくつかの実施例における完成ゴルフボールは、静的なバランスと動的なバランスの両方がとれている。いくつかの実施例におけるゴルフボールは、該ゴルフボールが静的にも動的にもバランスがとれているように、調整つまり修整されている。
【００７５】
本発明の様々な実施例について説明したが、以上の説明は例示することを意図したものであり、限定することを意図していない。当業者であれば、本開示の範囲を逸脱することなく、さらに多くの実施例や実施形態が可能であることを理解されよう。また、添付の特許請求の範囲内において、様々な変更や変形がなされ得る。
【図１】
2015517851.tif 000003
【図２】
2015517851.tif 000004
【図３】
2015517851.tif 000005
【図４】
2015517851.tif 000006
【図５】
2015517851.tif 000007
【図６】
2015517851.tif 000008
【図７】
2015517851.tif 000009
【図８】
2015517851.tif 000010
【図９】
2015517851.tif 000011
【図１０】
2015517851.tif 000012
【図１１】
2015517851.tif 000013
【図１２】
2015517851.tif 000014
【図１３】
2015517851.tif 000015
【図１４】
2015517851.tif 000016
【図１５】
2015517851.tif 000017
【図１６】
2015517851.tif 000018
【国際調査報告】
2015517851.tif 000019
2015517851.tif 000020
2015517851.tif 000021
2015517851.tif 000022
2015517851.tif 000023
2015517851.tif 000024
2015517851.tif 000025